【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
複数の生体サンプル（２）を自動管理するための設備機器（１）であって、複数の生体サンプル（２）は、周壁（３１）によって覆われ、蓋（３２）によって閉じられる、底部（３０）を備えたサンプル瓶（３ａ，３ｂ，３ｃ）にそれぞれ入れられており、前記設備機器（１）は、
・サンプル瓶（３ａ，３ｂ，３ｃ）の底部（３０）と相補的な形状の複数のハウジング（５ａ，５ｂ，５ｃ）を有するサンプル瓶（３ａ，３ｂ，３ｃ）のための少なくとも１つの保管コンテナ（４）と、
・少なくとも１つのコンテナ（４）を収納するように構成されたキャビティ（８）を形成するケースの形状をとる少なくとも１つの装置（７）であって、前記コンテナ（４）に入れられた前記サンプル瓶（３ａ，３ｂ，３ｃ）の前記周壁（３１）および／または前記蓋（３２）に取り付けられたコード化識別データ（６ａ，６ｂ）を読み取るための手段（１０ａ，１０ｂ）と、前記コンテナ（４）内の各サンプル瓶（３ａ，３ｂ，３ｃ）の位置を表すデータを判断する手段と、前記コンテナ（４）を回転させる手段とを備えた装置（７）と、
・有線または無線データ送信手段（１６）によって前記装置（７）に接続されるコンピュータ処理手段（１８）であって、
＊各瓶（３ａ，３ｂ，３ｃ）について、関連付けされた方法で、各瓶（３ａ，３ｂ，３ｃ）が含む前記識別データ（６ａ）と、前記コンテナ（４）内の各瓶（３ａ，３ｂ，３ｃ）の位置を表すデータ（１２ａ，１２ｂ）と、各瓶（３ａ，３ｂ，３ｃ）が含む生体サンプル（２）の履歴に関するデータとを記憶手段に記録することと、
＊各瓶（３ａ，３ｂ，３ｃ）の履歴における所定のイベントの発生を検出し、ユーザインタフェース（１７）を介して、イベントが検出された前記瓶（３ａ，３ｂ，３ｃ）の前記識別データ（６ａ）と前記コンテナ（４）内のそれらの前記瓶（３ａ，３ｂ，３ｃ）の位置を示すリストを生成すること、
の目的のために実行されるソフトウェアアプリケーションを組み込んだコンピュータ処理手段（１８）と、を備え、
前記コンテナ（４）が、各ハウジングのごく近傍に、陥没または隆起しているように見える形状（１２ａ，１２ｂ）を含み、前記コンテナ（４）内の各サンプル瓶（３ａ，３ｂ，３ｃ）の位置を表すデータを判断する手段が、前記形状を検出する手段によって構成されることを特徴とする、設備機器（１）。
【請求項２】
前記コンテナ（４）を回転させる手段が、前記装置（７）の前記キャビティ（８）内で回転するように装着されたシャフト（１３）によって形成され、前記コンテナ（４）が、下面（４０）および前記ハウジング（５ａ，５ｂ，５ｃ）を含む上面（４１）を有するプレートからなり、前記シャフト（１３）および前記プレート（４）が、前記シャフト（１３）に対する前記プレート（４）の回転を阻止できるように設計された、前記プレート（４）を前記シャフト（１３）に一時的に組み付けるための手段を有することを特徴とする、請求項１に記載の設備機器（１）。
【請求項３】
前記組み付け手段が、前記シャフト（１３）の自由端を延長した断面多角形のエンドピース（１４）と、前記プレート（４）の前記下面（４０）から前記プレートの厚みの少なくとも一部を通って延びる前記エンドピース（１４）の断面と相補的な形状のオリフィス（１５）とを備えることを特徴とする、請求項２に記載の設備機器（１）。
【請求項４】
前記コンテナ（４）の複数の前記ハウジング（５ａ，５ｂ，５ｃ）の形状とサイズとが相互に異なることを特徴とする、請求項１から３のいずれか一項に記載の設備機器（１）。
【請求項５】
前記ハウジング（５ａ，５ｂ，５ｃ）および／または前記サンプル瓶（３ａ，３ｂ，３ｃ）が、ハウジング（５ａ，５ｂ，５ｃ）内における確実な瓶（３ａ，３ｂ，３ｃ）の適切な配置を可能にする間違い防止手段をさらに備え得ることを特徴とする、請求項１から４のいずれか一項に記載の設備機器（１）。
【請求項６】
前記コンピュータ処理手段（１８）に接続されたコード化データリーダー（９）をさらに備えることを特徴とする、請求項１から５のいずれか一項に記載の設備機器（１）。
【請求項７】
前記コンテナ（４）が、所定のイベントが検出された瓶（３ａ，３ｂ，３ｃ）の位置を表示する手段を含み、前記表示手段が前記コンピュータ処理手段に接続されていることを特徴とする、請求項１から６のいずれか一項に記載の設備機器（１）。
【請求項８】
前記コンテナから所定のイベントが検出された瓶（３ａ，３ｂ，３ｃ）を自動抽出する手段を備え、前記自動抽出手段が前記コンピュータ処理手段に接続されていることを特徴とする、請求項１から７のいずれか一項に記載の設備機器（１）。
【請求項９】
複数のコンテナ（４）を収容できるように設計された少なくとも１つの什器部品を備えることを特徴とする、請求項１から８のいずれか一項に記載の設備機器（１）。
【請求項１０】
請求項１から９のいずれか一項に記載の設備機器（１）を用いて、複数の生体サンプル（２）を自動管理するための方法であって、複数の生体サンプル（２）は、周壁（３１）によって覆われ、蓋（３２）によって閉じられる、底部（３０）を備えたサンプル瓶（３ａ，３ｂ，３ｃ）にそれぞれ入れられており、前記方法は、
・周壁（３１）および／または蓋（３２）に取り付けられた識別データ（６ａ）を保持する複数のサンプル瓶（３ａ，３ｂ，３ｃ）を少なくとも１つのコンテナ（４）の複数のハウジング（５ａ，５ｂ，５ｃ）に入れることと、
・前記コンテナ（４）に入れられた各瓶（３ａ，３ｂ，３ｃ）について、各瓶（３ａ，３ｂ，３ｃ）の識別データ（６ａ）と、前記コンテナ（４）内の各瓶（３ａ，３ｂ，３ｃ）の位置を表すデータ（１２ａ，１２ｂ）と、各瓶（３ａ，３ｂ，３ｃ）が含む前記生体サンプル（２）の履歴に関するデータとを、前記装置（７）および前記コンピュータ処理手段（１８）を用いて、関連付けされた方法で読み取って記録することと、
・前記コンピュータ処理手段（１８）のソフトウェアアプリケーションを、各瓶（３ａ，３ｂ，３ｃ）に含まれる前記生体サンプル（２）の履歴に関するデータにおける所定のイベントの発生を検出するように構成することと、
・前記所定のイベントが検出された前記瓶（３ａ，３ｂ，３ｃ）の前記識別データ（６ａ）とコンテナ（４）内でのそれらの位置を示すリストをユーザインタフェース（１７）上に表示することと、
・所定のイベントが検出された前記瓶（３ａ，３ｂ，３ｃ）を、前記コンテナ（４）から取り除くとともに破壊すること、の工程の実行を含み、
前記コンテナ（４）内の各サンプル瓶（３ａ，３ｂ，３ｃ）の位置を表すデータを読み取るために、各ハウジングのごく近傍の、陥没または隆起しているように見える任意の形状（１２ａ，１２ｂ）の検出手段を用いる、ことを特徴とする方法。
【請求項１１】
前記所定のイベントの検出の間、前記コンテナ（４）に含まれる抽出されるべき前記瓶（３ａ，３ｂ，３ｃ）の位置を表示する手段が自動的にトリガされることを特徴とする、請求項１０に記載の方法。
【請求項１２】
前記所定のイベントの検出の間、前記設備機器（１）の前記コンテナ（４）から前記瓶（３ａ，３ｂ，３ｃ）を自動抽出するための手段がトリガされることを特徴とする、請求項１０または１１のいずれかに記載の方法。
【手続補正２】
【補正対象書類名】明細書
【補正対象項目名】００２８
【補正方法】変更
【補正の内容】
【００２８】
本発明は、添付の図を参照して行われる以下の開示においてより詳細に説明される。添付の図は、非限定的な例として提供されるものである。
【図１】図１は、本発明による設備機器の変形実施形態の単純化された図を表す。